【手続補正書】
【提出日】令和3年10月12日(2021.10.12)
【手続補正１】
【補正対象書類名】特許請求の範囲
【補正対象項目名】全文
【補正方法】変更
【補正の内容】
【特許請求の範囲】
【請求項１】
基地局（ＢＳ）によって行われるワイヤレス通信のための方法であって、
Ｎ個の仮想リソースブロック（ＶＲＢ）の第１のインターリービングユニットをＮ個の連続する第１の物理リソースブロック（ＰＲＢ）にマッピングする第１のインターリーブマッピングを決定することと、ここにおいて、Ｎは、１よりも大きく、各第１のＰＲＢは、複数のリソース要素を備え、
前記第１のインターリーブマッピングは、複数のインターリービングユニットの各インターリービングユニットを複数のＰＲＢバンドルの対応するＰＲＢバンドルにマッピングし、前記複数のＰＲＢバンドルの各ＰＲＢバンドルは、Ｎ個の連続するＰＲＢを有し、
第１のＶＲＢの前記第１のインターリービングユニットを第１のユーザ機器（ＵＥ）に割り振る第１の許可を送信することと、ここにおいて、前記第１の許可は、前記複数の前記インターリービングユニットを割り振り、
前記第１のインターリービングユニットの前記第１のＶＲＢにマッピングされた前記第１のＰＲＢを介して前記第１のＵＥと通信することと、
を備える、方法。
【請求項２】
前記第１のインターリーブマッピングの指示を前記ＵＥに送信すること、
をさらに備え、オプションで、
前記指示を送信することは、
前記第１のインターリーブマッピングの前記指示を備える第１の無線リソース制御（ＲＲＣ）構成を前記ＵＥに送ること、および／または、
前記第１のインターリーブマッピングの変更を示す第２のＲＲＣ構成を前記ＵＥに送ること、
を備える、請求項１に記載の方法。
【請求項３】
前記第１のインターリーブマッピングは、第１の帯域幅部分（ＢＷＰ）に固有であり、前記方法は、
Ｍ個の連続する第２のＶＲＢの第２のインターリービングユニットをＭ個の連続する第２のＰＲＢにマッピングする、前記第１のＢＷＰに固有の第２のインターリーブマッピングを決定することと、ここにおいて、Ｍは、１よりも大きく、
第２のＶＲＢの前記第２のインターリービングユニットを第２のＵＥに割り振る第２の許可を送信することと、
前記第２のインターリービングユニットの前記第２のＶＲＢにマッピングされた前記第２のＰＲＢを介して前記第２のＵＥと通信することと、
をさらに備え、オプションで、
ＭがＮに等しくない、請求項１に記載の方法。
【請求項４】
各ＰＲＢバンドルは、前記Ｎ個の連続する第１のＰＲＢを含み、前記ＰＲＢバンドルの高い方の境界および低い方の境界は、キャリア固有ＰＲＢバンドルグリッドのＰＲＢバンドルの境界とは異なる、請求項１に記載の方法。
【請求項５】
前記第１のインターリービングユニットのうちの１つまたは複数のＶＲＢをヌルＲＢとして半静的に構成することと、
をさらに備える、請求項１に記載の方法。
【請求項６】
小さいＲＢ割り振りのために１つまたは複数のＰＲＢを予約することと、
前記予約されたＰＲＢに対応する少なくとも１つのインターリービングユニットをヌルＲＢとして指定することと、
をさらに備える、請求項１に記載の方法。
【請求項７】
１つまたは複数の周波数リソースが予約され、前記第１のＵＥと通信することは、
前記予約された周波数リソースに対応する前記第１のＶＲＢの予約された部分を決定することと、
前記予約された部分を除く前記第１のＶＲＢにデータをレートマッチングすることと、
前記第１のＰＲＢを介して前記データを送信することと、
を備え、および／または、
予約された周波数リソースの指示を前記ＵＥにシグナリングすること、
をさらに備える、請求項１に記載の方法。
【請求項８】
ユーザ機器（ＵＥ）によって行われるワイヤレス通信のための方法であって、
Ｎ個の連続する仮想リソースブロック（ＶＲＢ）のインターリービングユニットをＮ個の連続する物理リソースブロック（ＰＲＢ）にマッピングするインターリーブマッピングを決定することと、ここにおいて、Ｎは、１よりも大きく、各ＰＲＢは、複数のリソース要素を備え、
前記インターリーブマッピングは、複数のインターリービングユニットの各インターリービングユニットを複数のＰＲＢバンドルの対応するＰＲＢバンドルにマッピングし、前記複数のＰＲＢバンドルの各ＰＲＢバンドルは、Ｎ個の連続するＰＲＢを有し、
基地局（ＢＳ）から、ＶＲＢの前記インターリービングユニットを割り振る許可を受信することと、ここにおいて、前記許可は、前記複数のインターリービングユニットを割り振り、
前記インターリービングユニットの前記ＶＲＢにマッピングされた前記ＰＲＢを介して前記ＢＳと通信することと、
を備える、方法。
【請求項９】
前記インターリーブマッピングの指示を前記ＢＳから受信すること、
をさらに備え、オプションで、
前記指示を受信することは、
前記インターリーブマッピングの前記指示を備える第１の無線リソース制御（ＲＲＣ）構成を前記ＢＳから受信すること、および／または、
前記インターリーブマッピングの変更を示す第２のＲＲＣ構成を前記ＢＳから受信すること、
を備える、請求項８に記載の方法。
【請求項１０】
各ＰＲＢバンドルは、前記Ｎ個の連続するＰＲＢを含み、前記ＰＲＢバンドルの高い方の境界および低い方の境界は、キャリア固有ＰＲＢバンドルグリッドのＰＲＢバンドルの境界とは異なる、請求項８に記載の方法。
【請求項１１】
前記インターリービングユニットのうちの１つまたは複数のＶＲＢをヌルＲＢとして示す半静的構成を受信すること、
をさらに備える、請求項８に記載の方法。
【請求項１２】
１つまたは複数のＰＲＢをヌルＲＢとして指定する指示を受信することと、
前記ヌルＲＢのうちの１つまたは複数の小さいＲＢ割り振りを受信することと、
前記小さいＲＢ割り振りに従って前記ＢＳと通信することと、
をさらに備える、請求項８に記載の方法。
【請求項１３】
前記ＢＳと通信することは、
１つまたは複数の周波数リソースが予約された周波数リソースであるという指示を受信することと、
前記予約された周波数リソースに対応する前記第１のＶＲＢの予約された部分を決定することと、
前記予約された部分を除く前記第１のＶＲＢにデータをレートマッチングすることと、
前記第１のＰＲＢを介して前記データを送信することと、
を備える、請求項８に記載の方法。
【請求項１４】
ワイヤレス通信のための装置であって、
Ｎ個の連続する第１の仮想リソースブロック（ＶＲＢ）の第１のインターリービングユニットをＮ個の連続する第１の物理リソースブロック（ＰＲＢ）にマッピングする第１のインターリーブマッピングを決定することと、ここにおいて、Ｎは、１よりも大きく、各第１のＰＲＢは、複数のリソース要素を備え、
前記第１のインターリーブマッピングは、複数のインターリービングユニットの各インターリービングユニットを複数のＰＲＢバンドルの対応するＰＲＢバンドルにマッピングし、前記複数のＰＲＢバンドルの各ＰＲＢバンドルは、Ｎ個の連続するＰＲＢを有し、
第１のＶＲＢの前記第１のインターリービングユニットを第１のユーザ機器（ＵＥ）に割り振る第１の許可を送信することと、ここにおいて、前記第１の許可は、前記複数の前記インターリービングユニットを割り振り、
前記第１のインターリービングユニットの前記第１のＶＲＢにマッピングされた前記第１のＰＲＢを介して前記第１のＵＥと通信することと、
を行うように構成されたプロセッサと、
前記プロセッサと結合されたメモリと
を備える、装置。
【請求項１５】
ワイヤレス通信のための装置であって、
Ｎ個の連続する仮想リソースブロック（ＶＲＢ）のインターリービングユニットをＮ個の連続する物理リソースブロック（ＰＲＢ）にマッピングするインターリーブマッピングを決定することと、ここにおいて、Ｎは、１よりも大きく、各ＰＲＢは、複数のリソース要素を備え、
前記インターリーブマッピングは、複数のインターリービングユニットの各インターリービングユニットを複数のＰＲＢバンドルの対応するＰＲＢバンドルにマッピングし、前記複数のＰＲＢバンドルの各ＰＲＢバンドルは、Ｎ個の連続するＰＲＢを有し、
基地局（ＢＳ）から、ＶＲＢの前記インターリービングユニットを割り振る許可を受信することと、ここにおいて、前記許可は、前記複数のインターリービングユニットを割り振り、
前記インターリービングユニットの前記ＶＲＢにマッピングされた前記ＰＲＢを介して前記ＢＳと通信することと、
を行うように構成されたプロセッサと、
前記プロセッサと結合されたメモリと、
を備える、装置。
【手続補正２】
【補正対象書類名】明細書
【補正対象項目名】０１２０
【補正方法】変更
【補正の内容】
【０１２０】
[0132]  特許請求の範囲は、上記に例示されたとおりの構成および構成要素に限定されないことが理解されるべきである。本願の特許請求の範囲から逸脱することなく、様々な修正、変更、および変形が、上述された方法および装置の配置、動作、および細部に対して行われ得る。
以下に本願の出願当初の特許請求の範囲に記載された発明を付記する。
［Ｃ１］
基地局（ＢＳ）によって行われるワイヤレス通信のための方法であって、
Ｎ個の連続する第１の仮想リソースブロック（ＶＲＢ）の第１のインターリービングユニットをＮ個の連続する第１の物理リソースブロック（ＰＲＢ）にマッピングする第１のインターリーブマッピングを決定することと、ここにおいて、各第１のＰＲＢは、１期間中に周波数リソースのセットを備え、
第１のＶＲＢの前記第１のインターリービングユニットを第１のユーザ機器（ＵＥ）に割り振る第１の許可を送信することと、
前記第１のインターリービングユニットの前記第１のＶＲＢにマッピングされた前記第１のＰＲＢを介して前記第１のＵＥと通信することと、
を備える、方法。
［Ｃ２］
前記第１のインターリーブマッピングは、複数のインターリービングユニットの各インターリービングユニットを複数のＰＲＢバンドルにマッピングし、
前記複数のＰＲＢバンドルの各ＰＲＢバンドルは、同じ数のＰＲＢを有し、
前記許可は、前記複数の前記インターリービングユニットを割り振る、
Ｃ１に記載の方法。
［Ｃ３］
前記第１のインターリーブマッピングの指示を前記ＵＥに送信すること、
をさらに備える、Ｃ１に記載の方法。
［Ｃ４］
前記指示を送信することは、
前記第１のインターリーブマッピングの前記指示を備える第１の無線リソース制御（ＲＲＣ）構成を前記ＵＥに送ること、
を備える、Ｃ３に記載の方法。
［Ｃ５］
前記第１のインターリーブマッピングの変更を示す第２のＲＲＣ構成を前記ＵＥに送ること、
をさらに備える、Ｃ４に記載の方法。
［Ｃ６］
前記第１のインターリーブマッピングは、第１の帯域幅部分（ＢＷＰ）に固有であり、前記方法は、
Ｍ個の連続する第２のＶＲＢの第２のインターリービングユニットをＭ個の連続する第２のＰＲＢにマッピングする、前記第１のＢＷＰに固有の第２のインターリーブマッピングを決定することと、
第２のＶＲＢの前記第２のインターリービングユニットを第２のＵＥに割り振る第２の許可を送信することと、
前記第２のインターリービングユニットの前記第２のＶＲＢにマッピングされた前記第２のＰＲＢを介して前記第２のＵＥと通信することと、
をさらに備える、Ｃ１に記載の方法。
［Ｃ７］
ＭがＮに等しくない、Ｃ６に記載の方法。
［Ｃ８］
前記第１のインターリーブマッピングは、前記第１のインターリービングユニットを複数のＰＲＢバンドルにマッピングする、Ｃ１に記載の方法。
［Ｃ９］
ＰＲＢバンドルは、前記Ｎ個の連続する第１のＰＲＢを含み、前記ＰＲＢバンドルの高い方の境界および低い方の境界は、キャリア固有ＰＲＢバンドルグリッドのＰＲＢバンドルの境界とは異なる、Ｃ１に記載の方法。
［Ｃ１０］
前記第１のインターリーブマッピングは、ＶＲＢの複数の第１のインターリービングユニットを複数のＰＲＢバンドルにマッピングし、前記方法は、
前記第１のインターリービングユニットのうちの１つまたは複数のＶＲＢをヌルＲＢとして半静的に構成することと、
をさらに備える、Ｃ１に記載の方法。
［Ｃ１１］
小さいＲＢ割り振りのために１つまたは複数のＰＲＢを予約することと、
前記予約されたＰＲＢに対応する少なくとも１つのインターリービングユニットをヌルＲＢとして指定することと、
をさらに備える、Ｃ１に記載の方法。
［Ｃ１２］
前記周波数リソースのうちの１つまたは複数が予約され、前記第１のＵＥと通信することは、
前記予約された周波数リソースに対応する前記第１のＶＲＢの予約された部分を決定することと、
前記予約された部分を除く前記第１のＶＲＢにデータをレートマッチングすることと、
前記第１のＰＲＢを介して前記データを送信することと、
を備える、Ｃ１に記載の方法。
［Ｃ１３］
前記周波数リソースのうちの１つまたは複数が予約され、前記第１のＵＥと通信することは、
前記予約された周波数リソースの指示を前記ＵＥにシグナリングすること、
を備える、Ｃ１に記載の方法。
［Ｃ１４］
ユーザ機器（ＵＥ）によって行われるワイヤレス通信のための方法であって、
Ｎ個の連続する仮想リソースブロック（ＶＲＢ）のインターリービングユニットをＮ個の連続する物理リソースブロック（ＰＲＢ）にマッピングするインターリーブマッピングを決定することと、ここにおいて、各ＰＲＢは、１期間中に周波数リソースのセットを備え、
基地局（ＢＳ）から、ＶＲＢの前記インターリービングユニットを割り振る許可を受信することと、
前記インターリービングユニットの前記ＶＲＢにマッピングされた前記ＰＲＢを介して前記ＢＳと通信することと、
を備える、方法。
［Ｃ１５］
前記インターリーブマッピングは、複数のインターリービングユニットの各インターリービングユニットを複数のＰＲＢバンドルにマッピングし、
前記複数のＰＲＢバンドルの各ＰＲＢバンドルは、同じ数のＰＲＢを有し、
前記許可は、前記複数の前記インターリービングユニットを割り振る、
Ｃ１４に記載の方法。
［Ｃ１６］
前記インターリーブマッピングの指示を前記ＢＳから受信すること、
をさらに備える、Ｃ１４に記載の方法。
［Ｃ１７］
前記指示を受信することは、
前記インターリーブマッピングの前記指示を備える第１の無線リソース制御（ＲＲＣ）構成を前記ＢＳから受信すること、
を備える、Ｃ１６に記載の方法。
［Ｃ１８］
前記インターリーブマッピングの変更を示す第２のＲＲＣ構成を前記ＢＳから受信すること、
をさらに備える、Ｃ１７に記載の方法。
［Ｃ１９］
前記インターリーブマッピングは、前記インターリービングユニットを複数のＰＲＢバンドルにマッピングする、Ｃ１４に記載の方法。
［Ｃ２０］
ＰＲＢバンドルは、前記Ｎ個の連続するＰＲＢを含み、前記ＰＲＢバンドルの高い方の境界および低い方の境界は、キャリア固有ＰＲＢバンドルグリッドのＰＲＢバンドルの境界とは異なる、Ｃ１４に記載の方法。
［Ｃ２１］
前記インターリーブマッピングは、ＶＲＢの複数のインターリービングユニットを複数のＰＲＢバンドルにマッピングし、前記方法は、
前記インターリービングユニットのうちの１つまたは複数のＶＲＢをヌルＲＢとして示す半静的構成を受信すること、
をさらに備える、Ｃ１４に記載の方法。
［Ｃ２２］
１つまたは複数のＰＲＢをヌルＲＢとして指定する指示を受信することと、
前記ヌルＲＢのうちの１つまたは複数の小さいＲＢ割り振りを受信することと、
前記小さいＲＢ割り振りに従って前記ＢＳと通信することと、
をさらに備える、Ｃ１４に記載の方法。
［Ｃ２３］
前記ＢＳと通信することは、
前記周波数リソースのうちの１つまたは複数が予約された周波数リソースであるという指示を受信することと、
前記予約された周波数リソースに対応する前記第１のＶＲＢの予約された部分を決定することと、
前記予約された部分を除く前記第１のＶＲＢにデータをレートマッチングすることと、
前記第１のＰＲＢを介して前記データを送信することと、
を備える、Ｃ１４に記載の方法。
［Ｃ２４］
ワイヤレス通信のための装置であって、
Ｎ個の連続する第１の仮想リソースブロック（ＶＲＢ）の第１のインターリービングユニットをＮ個の連続する第１の物理リソースブロック（ＰＲＢ）にマッピングする第１のインターリーブマッピングを決定することと、ここにおいて、各第１のＰＲＢは、１期間中に周波数リソースのセットを備え、
第１のＶＲＢの前記第１のインターリービングユニットを第１のユーザ機器（ＵＥ）に割り振る第１の許可を送信することと、
前記第１のインターリービングユニットの前記第１のＶＲＢにマッピングされた前記第１のＰＲＢを介して前記第１のＵＥと通信することと、
を行うように構成されたプロセッサと、
前記プロセッサと結合されたメモリと
を備える、装置。
［Ｃ２５］
ワイヤレス通信のための装置であって、
Ｎ個の連続する仮想リソースブロック（ＶＲＢ）のインターリービングユニットをＮ個の連続する物理リソースブロック（ＰＲＢ）にマッピングするインターリーブマッピングを決定することと、ここにおいて、各ＰＲＢは、１期間中に周波数リソースのセットを備え、
基地局（ＢＳ）から、ＶＲＢの前記インターリービングユニットを割り振る許可を受信することと、
前記インターリービングユニットの前記ＶＲＢにマッピングされた前記ＰＲＢを介して前記ＢＳと通信することと、
を行うように構成されたプロセッサと、
前記プロセッサと結合されたメモリと、
を備える、装置。